(57)【特許請求の範囲】
【請求項１】
フード本体５と送風機２４を備え、そのフード本体５内部に給水管４０と排水管４１を突出したレンジフードにおいて、
キッチン室の壁１における調理器具２と対向した部分に、表面板１０と左右の側面板１１で横断面略コ字状の配管収納カバー３を取付け、この配管収納カバー３と壁１との間に配管収納空間部１５を調理器具２近くまで連続して形成し、
この配管収納カバー３の表面板１０の上部に配管貫通孔１６を形成し、
前記フード本体５は上面板２０と背面板２１と前面板２２と左右の側面板２３で下面を開口した箱形状で、その背面板２１に配管貫通孔２１ａを形成し、
前記フード本体５は、前記配管収納カバー３の表面板１０の上部に、前記背面板２１の配管貫通孔２１ａが前記表面板１０の配管貫通孔１６と対向するように取付け、
前記給水管４０、排水管４１を、前記配管収納空間部１５内に配設し、その給水管４０、排水管４１を、前記表面板１０の配管貫通孔１６、背面板２１の配管貫通孔２１ａを通して前記フード本体５内部に突出したことを特徴とするレンジフード。
【請求項２】
給水管４０を配管収納カバー３の下部より突出して壁１よりも室内側に突出した水道配管に接続した請求項１記載のレンジフード。
【請求項３】
排水管４１を配管収納カバー３の下部から突出してシンク６の排水用配管４４に接続した請求項１又は２記載のレンジフード。
【発明の詳細な説明】
【０００１】
【発明の属する技術分野】
本発明は、調理時に発生した油煙等を捕集して屋外に排出するレンジフードに関する。
【０００２】
【従来の技術】
フード本体内部に送風機とフィルターを取付け、送風機を駆動することで調理時に発生した油煙等をフィルターを通して吸引し、排気ダクトを通して屋外に排出するレンジフードが知られている。
このレンジフードによれば、油煙等の油脂成分をフィルターで捕集し、油脂成分の少ない油煙等を屋外に排出できる。
【０００３】
前述のフィルターには油脂成分が付着するので、そのフィルターを洗浄液で洗浄する洗浄装置付レンジフードが種々提案されている。
【０００４】
また、フィルターで捕集仕切れなかった油脂成分は送風機に入り込み、排気ダクトを通して屋外に排出されるので、その送風機内部、排気ダクト内部に油脂成分が付着する。
このことを解消するために、特開平８−２１９５１７号公報に示すように、送風機内部に水分を噴霧して油脂成分を凝縮させながら汚水として回収するレンジフードが提案されている。
【０００５】
【発明が解決しようとする課題】
前述の洗浄装置付レンジフードでは、洗浄液を供給する給水管と洗浄後の汚れた洗浄液を排出する排水管をフード本体に接続することがある。
この給水管と排水管は内壁と外壁との間（つまり壁内）に配設して室内から見えないようにしている。
【０００６】
このように、給水管と排水管を接続する必要がある洗浄装置付レンジフードを取付ける場合には壁内で配管接続工事をするので、壁に穴をあけたり、壁の一部をこわしたりすることになり施工性が非常に悪く、洗浄装置を備えない通常のレンジフードを取付ける場合に比べ施工工事が大幅に面倒で、長時間がかかるので、施工コストが非常に高くなる。
【０００７】
以上の様に既設の建物又は既設の建物をリフォームする時に給水管、排水管を備えた洗浄装置付レンジフードを取付ける場合の施工コストが非常に高く、現実的には難しいものとなる。
また、上記理由によりマンション等の集合住宅への取付けは建築当初から計画し配管工事されたものではないと取付けできない。
【０００８】
なお、建家を新築する時に洗浄装置付レンジフードを取付けるには、壁工事の際にあらかじめ壁内に給水管、排水管を配管して収納できるので、簡単に取付けできる。
【０００９】
また、特開平８−２１９５１７号公報に示すレンジフードでは給水管と排水管がキッチン室から見えるので見栄えが悪い。
見栄えを良くするために給水管と排水管を壁内に配設すると前述の洗浄装置付レンジフードと同様な不具合を生じる。
【００１０】
そこで、本発明は前述の課題を解決できるようにしたレンジフードを提供することを目的とする。
【００１１】
【課題を解決するための手段】
第１の発明は、フード本体５と送風機２４を備え、そのフード本体５内部に給水管４０と排水管４１を突出したレンジフードにおいて、
キッチン室の壁１における調理器具２と対向した部分に、表面板１０と左右の側面板１１で横断面略コ字状の配管収納カバー３を取付け、この配管収納カバー３と壁１との間に配管収納空間部１５を調理器具２近くまで連続して形成し、
この配管収納カバー３の表面板１０の上部に配管貫通孔１６を形成し、
前記フード本体５は上面板２０と背面板２１と前面板２２と左右の側面板２３で下面を開口した箱形状で、その背面板２１に配管貫通孔２１ａを形成し、
前記フード本体５は、前記配管収納カバー３の表面板１０の上部に、前記背面板２１の配管貫通孔２１ａが前記表面板１０の配管貫通孔１６と対向するように取付け、
前記給水管４０、排水管４１を、前記配管収納空間部１５内に配設し、その給水管４０、排水管４１を、前記表面板１０の配管貫通孔１６、背面板２１の配管貫通孔２１ａを通して前記フード本体５内部に突出したことを特徴とするレンジフードである。
【００１３】
第２の発明は、第１の発明において、給水管４０を配管収納カバー３の下部より突出して壁１よりも室内側に突出した水道配管に接続したレンジフードである。
【００１４】
第３の発明は、第１又は第２の発明において、排水管４１を配管収納カバー３の下部から突出してシンク６の排水用配管４４に接続したレンジフードである。
【００１５】
【作    用】
第１の発明によれば、壁１と配管収納カバー３で形成した配管収納空間部１５内に給水管４０、排水管４１を配設したので、その給水管４０、排水管４１を壁１内部に配設しなくともキッチン室から見えない。
これによって、壁１に穴をあけたり、こわしたりせずに給水管４０、排水管４１を簡単な配管工事で見栄え良く配管できる。
したがって、既設の建物や既設の建物をリフォームする時に給水管、排水管を備えたレンジフードを施工コストが安く、しかも見栄え良く簡単に取付けできる。
【００１６】
また、配管収納カバー３の表面板１０の上部にフード本体５を取付け、給水管４０、排水管４１を、その表面板１０の配管貫通孔１６、背面板２１の配管貫通孔２１ａを通してフード本体１内部に突出してあるので、配管収納空間部１５からフード本体５に突出する給水管４０、排水管４１が見えない。
【００１７】
また、配管収納カバー３は調理器具２近くまで連続しているし、その配管収納カバー３の上部にフード本体５が取付けてあるので、調理時に発生した油煙等がフード本体５内に吸い込まれる時に、その油煙等が配管収納カバー３に触れて壁１に触れることがない。
これによって、油煙等で壁１が汚れることがなく、配管収納カバー３が汚れるが、その配管収納カバー３は拭き取り清掃し易いから清掃が容易である。
つまり、配管収納カバー３が壁１を保護するキッチンパネルの役目を果す。
【００１８】
また、給水管４０、排水管４１に油煙等が触れることがなく、給水管４０、排水管４１が油煙等で汚れることがない。
【００１９】
第２の発明によれば、給水管４０を水道配管に接続してあるので、水道水を利用できる。
しかも、壁１よりも室内側に突出した水道配管に接続したので、水道配管に接続するために壁１に穴をあけたりしなくとも良く、施工コストがより安くなる。
【００２０】
第３の発明によれば、排水管４１に流れる汚れた洗浄液等はシンク６の排水用配管４４に流出するから、特別な排水用配管が不要である。
【００２１】
【発明の実施の形態】
図１に示すように、キッチン室の壁１の調理器具２と対向した部分に配管収納カバー３が取付けてある。この配管収納カバー３の下端面３ａは調理器具置台２ａの上面と若干の隙間を置いて対向している。前記配管収納カバー３の上部にレンジフード４のフード本体５が取付けてある。
調理器具２と隣り合ってシンク６が配設され、このシンク６の上方の壁１に水道蛇口７が取付けてある。
【００２２】
図２と図３に示すように、配管収納カバー３は表面板１０と左右の側面板１１と上面板１２で横断面略コ字状で上面が閉塞され、かつ下面と背面を開口したフード本体５の左右寸法と略同一幅でへん平長尺な略箱形状で、前記側面板１１、上面板１２には取付用フランジ１３が一体的に設けてある。この取付用フランジ１３をねじなどの固着具１４で壁１に固定して取付けられ、壁１との間に配管収納空間部１５を形成する。
前記表面板１０の上部寄りに配管貫通孔１６とレンジフード固定用穴１７が形成してある。配管貫通孔１６は大きな４角形状となっているが、後述する給水管、排水管が貫通する程度の大きさの孔として２つ形成しても良い。また、前記配管収納カバー３の表面にはフック素塗装やシリコン塗装等の溌油加工が施してあり、付着した油脂成分などを拭取り易くしてある。これによって配管収納カバー３を拭き取り清浄性の良いキッチンパネルとして使用できる。
【００２３】
前記フード本体５は上面板２０と背面板２１と前面板２２と左右の側面板２３で下面を開口した箱形状で、そのフード本体５の内部に送風機２４と洗浄液槽２５が取付けてある。フード本体５は配管収納カバー３の表面板１０の上部にレンジフード固定用穴１７に螺合したねじ等で取付けられる。背面板２１には配管貫通孔１６と対向した配管貫通孔２１ａが形成してある。
【００２４】
前記送風機２４はファンケーシング２６内にファン２７を設け、モータ２８でファン２７を回転することで吸込口２９から空気を吸込んで吐出口３０から吐出する。前記ファンケーシング２６内にはフィルター３１が取付けてある。吐出口３０と連続して排出ダクト３２が取付けてある。
【００２５】
このようであるから、調理時に発生した油煙等の油脂成分がフィルター３１で捕集され、油脂成分の少ない油煙等が排出ダクト３２で屋外に排出される。
【００２６】
前記洗浄液槽２５内の洗浄液はモータ３３で駆動される洗浄液ポンプ３４でパイプ３５に圧送され、そのパイプ３５がファンケーシング２６内に突出している。これによって、フィルター３１が洗浄液で洗浄され、その洗浄した洗浄液はファンケーシング２６の底部に形成した孔３６から洗浄液槽２５内に流れ落ちる。
【００２７】
このようであるから、フィルター３１は洗浄液で洗浄されるし、その洗浄液は再利用されるので、循環式の洗浄装置付レンジフードを形成している。
【００２８】
前記洗浄液槽２５に洗浄液を供給する給水管４０と洗浄液槽２５内の汚れた洗浄液を排出する排水管４１は前記壁１と配管収納カバー３との間の配管収納空間部１５内に配設（配管）してある。
前記給水管４０は自在に曲げることができる金属管であるフレキシブル管で、その一端部は配管貫通孔１６を貫通してフード本体５の背面板２１に形成した配管貫通孔２１ａよりフード本体５内に突出し、電磁式の給水弁４２を経て前記洗浄液槽２５に接続している。
【００２９】
この給水管４０の他端部は配管収納カバー３の下部より突出しシンク６と壁１の間を通って水道蛇口７が接続された壁１よりも室内側に突出した水道配管に接続してある。
なお、給水管４０の他端部は湯沸かし器の給水管接続部に接続しても良い。つまり、給水管４０の他端部は壁１よりも室内側に突出している水道配管部分に接続しても良い。また、給水用ポンプを設け、その吐出側に接続しても良い。すなわち給水管４０の他端部は給水源に接続すれば良い。
【００３０】
前記排水管４１は樹脂パイプなどのフレキシブル管で、その一端部は配管貫通孔１６を貫通してフード本体５の背面板２１に形成した配管貫通孔２１ａよりフード本体５内に突出し、電磁式の排水弁４３を経て前記洗浄液槽２５の底部排水孔に接続している。
【００３１】
この排水管４１の他端部は配管収納カバー３の下部から突出し、シンク６の排水用配管４４に接続してある。
なお、排水管４１の他端部はシンク６の下方や調理器具２の下方に置いた容器に接続し、汚れた洗浄液を容器内に溜め、定期的に容器を持ち出して排水するようにしても良い。つまり、排水管４１の他端部は排水部に接続すれば良い。
【００３２】
前記配管収納カバー３は伸縮式としても良い。
例えば図４に示すように固定配管収納カバー３−１の下部に可動配管収納カバー３−２を摺動可能に嵌め合せる。
前記固定配管収納カバー３−１は表面板１０と左右の側面板１１と上面板１２で横断面略コ字状で下面と背面が開口した幅広、へん平長尺な略箱形状である。
【００３３】
前記可動配管収納カバー３−２は表面板５０と左右の側面板５１で横断面略字状の長尺で、その表面板５０、側面板５１が固定配管収納カバー３−１の内面に摺動自在に接している。側面板５１の下縁に取付片５２が一体的に設けてあり、この取付片５２をねじ５３で壁１に固定して伸縮しないようにする。
【００３４】
このようにすれば、床から調理器具２までの高さ（調理器具置台２ａの高さ）に応じて可動配管収納カバー３−２を摺動することで配管収納カバー３の長さを調整できる。
【００３５】
前記配管収納カバー３の表面板１０にキッチンパネルを折り畳み自在に取付けても良い。
例えば図５に示すように、表面板１０の左右両側縁に第１キッチンパネル５４と第２キッチンパネル５５をヒンジ５６で表面板１０と直角な姿勢と表面板１０と平行な姿勢に揺動自在に取付ける。
【００３６】
このようにすれば、第１・第２キッチンパネル５４，５５を表面板１０と直角な姿勢とすることで、調理時に発生した油はねが周囲に飛散することを防止できる。
【００３７】
以上の実施の形態では配管収納カバー３の上部にフード本体５を取付けしたが、フード本体５を壁１に取付け、このフード本体５の下部と連続して配管収納カバー３を壁１に取付けても良い。
【００３８】
以上の実施の形態では送風機２４のファンケーシング２６内にフィルター３１を設け、このフィルター３１を洗浄液で洗浄するようにしたが、送風機２４のファンケーシング２６の吸込口２９と対向してフィルター３１を取付け、このフィルター３１を洗浄液で洗浄するようにしても良い。いずれにしても洗浄装置付レンジフードの給水管、排水管の配管構造に適用できる。
【００３９】
また、特開平８−２１９５１７号公報に示すレンジフードの給水管、排水管の配管構造に適用できる。
【００４０】
また、フィルターを取付けずにファンケーシング２６の内面に凹凸を形成し、その凹凸に油煙等の油脂成分を付着して捕獲し、その凹凸に洗浄液を吹きつけて汚水として排水するタイプのレンジフードの給水管、排水管の配管構造に適用できる。
【００４１】
また、給水管４０、排水管４１を複数の管を接続したものとしても良い。例えば洗浄液槽２５に接続した一側管と、配管収納空間部１５内に配設した中間管と、給水部、排水部に接続した他側管を接続したものとし、それらをクイックジョイントなどで接続する。
【００４２】
【発明の効果】
請求項１に係る発明によれば、壁１と配管収納カバー３で形成した配管収納空間部１５内に給水管４０、排水管４１を配設したので、その給水管４０、排水管４１を壁１内部に配設しなくともキッチン室から見えない。
これによって、壁１に穴をあけたり、こわしたりせずに給水管４０、排水管４１を簡単な配管工事で見栄え良く配管できる。
したがって、既設の建物や既設の建物をリフォームする時に給水管、排水管を備えたレンジフードを施工コストが安く、しかも見栄え良く簡単に取付けできる。
【００４３】
また、配管収納カバー３の表面板１０の上部にフード本体５を取付け、給水管４０、排水管４１を、その表面板１０の配管貫通孔１６、背面板２１の配管貫通孔２１ａを通してフード本体１内部に突出してあるので、配管収納空間部１５からフード本体５に突出する給水管４０、排水管４１が見えない。
【００４４】
また、配管収納カバー３は調理器具２近くまで連続しているし、その配管収納カバー３の上部にフード本体５が取付けてあるので、調理時に発生した油煙等がフード本体５内に吸い込まれる時に、その油煙等が配管収納カバー３に触れて壁１に触れることがない。
これによって、油煙等で壁１が汚れることがなく、配管収納カバー３が汚れるが、その配管収納カバー３は拭き取り清掃し易いから清掃が容易である。
つまり、配管収納カバー３が壁１を保護するキッチンパネルの役目を果す。
【００４５】
また、給水管４０、排水管４１に油煙等が触れることがなく、給水管４０、排水管４１が油煙等で汚れることがない。
【００４６】
請求項２に係る発明によれば、給水管４０を水道配管に接続してあるので、水道水を利用できる。
しかも、壁１よりも室内側に突出した水道配管に接続したので、水道配管に接続するために壁１に穴をあけたりしなくとも良く、施工コストがより安くなる。
【００４７】
請求項３に係る発明によれば、排水管４１に流れる汚れた洗浄液等はシンク６の排水用配管４４に流出するから、特別な排水用配管が不要である。
【図面の簡単な説明】
【図１】キッチンの調理器具、シンク部分の正面図である。
【図２】図１のＡ−Ａ断面図である。
【図３】フード本体と配管収納カバーの斜視図である。
【図４】伸縮自在な配管収納カバーの斜視図である。
【図５】キッチンパネルを取付けた配管収納カバーの斜視図である。
【符号の説明】
１…壁、２…調理器具、３…配管収納カバー、４…レンジフード、５…フード本体、６…シンク、１５…配管収納空間部、２４…送風機、２５…洗浄液槽、４０…給水管、４１…排水管、４４…排水用配管。
【図１】
0004224799.tif 000002
【図２】
0004224799.tif 000003
【図３】
0004224799.tif 000004
【図４】
0004224799.tif 000005
【図５】
0004224799.tif 000006